(57)【要約】【課題】  液晶表示パネルとバックライトユニットの固定と位置合わせが簡便にでき、液晶表示パネルやバックライトユニットの構成部品のリペアの要求にも対応できるフレームケースを提供する。【解決手段】  凹部４を構成する一対の側壁５ａ、５ｂのうち少なくとも一方の側壁５ａ、５ｂの延在方向における一部を、前記延在方向における中央部を凹部４内へ突出させるように曲げ形成されて可撓性が付与された片状の押圧部８として形成し、液晶表示パネル２等を前記凹部４に収納する際などには、押圧部８を拡開するように撓ませ、液晶表示パネル２等を収納した際には、押圧部８を弾性復元力により液晶表示パネル２等の側面に当接させて保持させるように構成する。【選択図】      図１
2005077755.tif 000002
【特許請求の範囲】
【請求項１】
少なくとも液晶表示パネルを収納する凹部が形成されたフレームケースにおいて、前記凹部を構成する一対の側壁のうち少なくとも一方の側壁の延在方向における一部は、前記延在方向における中央部を凹部内へ突出させるように撓ませた押圧部として形成されていることを特徴とするフレームケース。
【請求項２】
前記押圧部には、前記凹部に収納された前記液晶表示パネルの最上面に当接して前記液晶表示パネルを底壁側へ押圧するように作用する可撓性を有するフックが形成されている請求項１に記載のフレームケース。
【請求項３】
前記フレームケースの前記凹部を構成する他の一対の側壁のうち少なくとも一方の側壁の近傍には、前記凹部に収納された前記液晶表示パネルの側面に当接して前記液晶表示パネルを対向する側壁側へ押圧するように作用するピンが形成されている請求項１または請求項２に記載のフレームケース。
【発明の詳細な説明】
【技術分野】
【０００１】
本発明は、液晶表示装置において、液晶表示パネルを簡単且つ確実に積層収納するためのフレームケースに関する。
【背景技術】
【０００２】
一対の透明基板間に液晶を封止してなり、前記一対の透明基板の所定の部分に選択的に電界を与えて特定の図形や文字等の情報を表示する液晶表示パネルが内蔵された液晶表示装置が、携帯電話やＰＤＡ（Personal Digital Assistant）等の表示装置として多く用いられている。
【０００３】
このような液晶表示装置は、当該液晶表示装置の筐体内に、電気回路系等を組み込んだ液晶表示パネルをその表示領域が前記筐体の上面に位置するようにして配設させるとともに、前記液晶表示パネルの反視認側にバックライトユニットを配置させたモジュールを有している。
【０００４】
図７は、従来の液晶表示装置における前記フレームケース１と、前記フレームケース１に収納される各部品を示す要部分解断面図である。
【０００５】
この図に示す前記液晶表示装置のフレームケース１は、前記液晶表示パネル２やバックライトユニット３等の各部品（本明細書において、液晶表示パネル２およびバックライトユニット３と記す。）を収納する凹部４が形成された筐体とされており、前記凹部４内には液晶表示パネル２およびバックライトユニット３が貼着され、固定された状態で収納されている。
【０００６】
ここで、前記バックライトユニット３は、側面に設けられた入射面から内部へ入射した光を前記液晶表示パネル２の表示領域に向う平面光として照射する導光板１５、前記導光板１５の裏面から漏れる光を前記導光板１５に反射させて戻すための反射フィルム１６、前記導光板１５から照射される光を拡散させるための拡散フィルム１７、輝度を上昇させるための２枚の光学フィルム１８ａ、１８ｂおよびＬＥＤやＣＣＴ（冷陰極蛍光管）などの光源（図示せず）から構成されている。
【０００７】
詳しくは、前記フレームケース１の凹部４の底壁６上面には前記反射フィルム１６が遮光性の両面テープ１９によって固着されて収納されている。そして、前記反射フィルム１６の上面には前記導光板１５、前記導光板１５の上面には拡散フィルム１７、前記拡散フィルム１７の上面には２枚の光学フィルム１８ａ、１８ｂが積層され、それぞれの部品間に介在させた枠状の遮光性の両面テープ１９によって貼着された状態で、前記バックライトユニット３を構成し、前記凹部４内に収納されている。また、前記バックライトユニット３の上面には前記液晶表示パネル２が積層され、枠状の遮光性の両面テープ１９によって貼着された状態で、同じく、前記凹部４内に収納されている。
【０００８】
そして、前記フレームケース１の側方に設置された光源は前記バックライトユニット３の背面側に配設される図示しない回路基板から電極端子（図示せず）を通じて供給される電力によって発光し、前記光源から発光される照射光は、前記導光板１５により面光源として機能し、前記液晶表示パネル２に均一に照射光を照射するように構成されている。
【０００９】
また、前記液晶表示パネル２は、互いに対向する面に図示しない透明電極が積層形成された一対の透明基板２１、２２を、これらの透明基板２１，２２の周辺部に塗布された図示しないシール材により一体に貼り合わせ、これら各透明基板２１、２２の間に図示しないギャップ材や液晶を注入密封した後、各透明基板２１、２２の外側面に偏光板２３、２４を貼着することにより構成されている。
【００１０】
【特許文献１】特開平１１−２３１２９０号公報
【特許文献２】特開２００２−３２８６１９号公報
【発明の開示】
【発明が解決しようとする課題】
【００１１】
このように、従来の液晶表示装置においてはバックライトユニット３を構成する各部品や液晶表示パネル２は遮光性の両面テープ１９により１部品ずつ貼着されていたため、貼り合わせ作業が煩雑であり、しかも、一旦、両面テープ１９で貼着してフレームケース１に収納してしまうと、貼着にズレが生じた部品や、製品として欠陥がある部品等を交換することができないという、リペア性に関する問題点があった。
【００１２】
そこで、近年の液晶表示装置においては、液晶表示パネル２およびバックライトユニット３の固定手段として両面テープ１９を用いず、図８に示すように、側壁５の上端辺部分に前記フレームケース１の凹部４上面へ突出するフック９が形成されたフレームケース１を用い、前記フック９を前記凹部４に収納された部品の最上面、すなわち液晶表示パネル２の上面に当接させ、前記液晶表示パネル２およびバックライトユニット３を前記凹部４の底壁６側へ押圧するようにして、前記底壁６との間に挟んで固定させる構成が採用されるようになった。
【００１３】
この構成のフレームケース１においては、前記フック９の形成された側壁４を外方へ撓ませて拡開させた状態で前記凹部４へ液晶表示パネル２およびバックライトユニット３を収納しなければならない。
【００１４】
しかしながら、前記フック９自体に前記液晶表示パネル２およびバックライトユニット３を固定しうる剛性（強度）を持たせる必要がある上に、近年の液晶表示装置の小型化の要請に対応すべく、前記フレームケース１自体の厚さ寸法も短く形成しているため、前記フレームケース１の側壁５の撓み量が少なく、前記凹部４へ液晶表示パネル２およびバックライトユニット３を収納する作業は困難なものであった。そして、例えば、バックライトユニット３に変形を加えて前記凹部４へ収納すれば、前記拡散フィルム１７や光学フィルム１８等の積層状態にずれが生じ、輝度や輝度比に悪影響を与える可能性がある。
【００１５】
また、液晶表示パネル等のフレームケース内でのガタツキを防止するために、底壁６側への押圧以外に、側壁方向（左右方向）の押圧も必要となり、側壁内形寸法を液晶表示パネルの外形寸法と同じように設計することがある。液晶表示パネルの分断公差の問題や端面のバリ等の問題で外形寸法が大きく形成されたとき、フレームケースの側壁が外側に撓み、フレームケースを収納する表示装置に入らないという問題も生じることがある。
【００１６】
そこで、本発明は、液晶表示パネルの固定および前記凹部内における位置合わせが簡便にでき、前記液晶表示パネルやバックライトユニットの構成部品のリペアの要求にも対応できるフレームケースを提供することを目的とする。
【課題を解決するための手段】
【００１７】
前述した目的を達成するため、本発明のフレームケースは、少なくとも液晶表示パネルを収納する凹部が形成されたフレームケースにおいて、前記凹部を構成する一対の側壁のうち少なくとも一方の側壁の延在方向における一部は、前記延在方向における中央部を凹部内へ突出させるように撓ませた押圧部として形成されている点を特徴とする。
【００１８】
また、前記押圧部には、前記凹部に収納された前記液晶表示パネルの最上面に当接して前記液晶表示パネルを底壁側へ押圧するように作用する可撓性を有するフックが形成されている点を特徴とする。
【００１９】
さらに、前記フレームケースの前記凹部を構成する他の一対の側壁のうち少なくとも一方の側壁の近傍には、前記凹部に収納された前記液晶表示パネルの側面に当接して前記液晶表示パネルを対向する側壁側へ押圧するように作用するピンが形成されている点を特徴とする。
【発明の効果】
【００２０】
本発明のフレームケースによれば、前記押圧部は、前記延在方向における中央部を凹部内へ突出させるように撓ませた押圧部として形成されているので、前記凹部に前記液晶表示パネルおよび前記バックライトユニットを収納する際、あるいは、前記凹部から前記液晶表示パネルやバックライトユニットを構成する部品を交換する際に、当該フレームケースの寸法内において拡開するように撓むように作用する。よって、前記液晶表示パネルとバックライトユニットとを両面テープを用いずに積層させた状態で前記凹部に収納し易く、また、前記液晶表示パネルやバックライトユニットの構成部品のリペアの要求時にも部品の回収や交換をし易いものとなる。
【００２１】
また、前記凹部に前記液晶表示パネルおよびバックライトユニットを収納した際には、可撓性が付与された前記押圧部はその弾性復元力により前記液晶表示パネルおよびバックライトユニットの側面に当接し、前記液晶表示パネルおよびバックライトユニットをその突出方向へ押圧するように作用する。よって、前記液晶表示パネルとバックライトユニットを前記凹部内において側部方向から保持しつつ、適正な位置に位置合わせすることができる。
【００２２】
また、前記押圧部に形成されたフックは、前記凹部内の最上層に積層されて収納された前記液晶表示パネルの上面に当接することで、前記液晶表示パネルおよびバックライトユニットを底壁側へ押圧するように作用する。よって、前記液晶表示パネルおよびバックライトユニットを前記凹部内において前記底壁との間に挟んだ状態で保持することができる。
【００２３】
さらに、前記フレームケースの前記凹部を構成する他の一対の側壁のうち少なくとも一方の側壁の内側近傍に形成されたピンは、前記凹部に前記液晶表示パネルおよびバックライトユニットを収納する際に、一旦、前記一方の側壁側へ撓み、前記液晶表示パネルおよびバックライトユニットを収納した後は、その弾性復元力により前記凹部に収納された前記液晶表示パネルおよび前記バックライトユニットの側面に当接して、前記液晶表示パネルおよびバックライトユニットを対向する側壁側へ押圧するように作用する。よって、前記液晶表示パネルとバックライトユニットを前記凹部内において前記対向する側壁との間に挟んだ状態で保持しつつ、適正な位置に位置合わせすることができる。
【００２４】
このように、本発明のフレームケースによれば、フレームケースへの液晶表示パネルとバックライトユニットの収納や交換などの作業が簡便になリ、また、これらの部品の固定手段として両面テープを用いることもないので、リペア性も良くなる。また、前記押圧部は可撓性を付与されているので、液晶表示パネルなどの部品が、その外形寸法を多少増減して作製されたような場合であっても、前記押圧部の可撓性により前記部品の寸法誤差を吸収し、フレームケース（モジュール）の外形寸法には影響させない等の効果を奏する。
【発明を実施するための最良の形態】
【００２５】
本実施形態のフレームケースは、液晶表示装置の構成部品としての少なくとも液晶表示パネルを構成部品とする液晶表示装置において、前記液晶表示パネルを固定して積層させるためのフレームケースである。
【００２６】
本実施形態のフレームケース１は、図１に示すように、前記液晶表示パネル２とほぼ同じ大きさの平面形状とされた略四角枠状とされており、その上面には、前記液晶表示パネル２およびバックライトユニット３を収納する凹部４が形成されている。
【００２７】
本実施形態におけるフレームケース１は、図２および図３に示すように、前記凹部４を構成する一対の側壁５ａ、５ｂとその各側壁５ａ、５ｂに連接する底壁６とにより形成される底面コーナー部に開口部７が形成されている。前記開口部７の形成位置に対応する前記各側壁５ａ、５ｂの一部は、当該各側壁５ａ、５ｂの延在方向における中央部を頂部として当該側壁５ａ、５ｂの内面から前記凹部４内へ突出させるように曲げ形成され、撓ませて可撓性が付与された形状の押圧部８として形成されている。つまり、前記押圧部８は、前記開口部７により前記凹部４を構成する底壁６と連接されず、当該一部の両側に垂設された側壁５ａ、５ｂ部分に連接されることで、図１に「撓み幅」として示すような当該フレームケース１の寸法内における、十分な撓み量の可撓性が付与されている。また、本実施形態においては、前記各押圧部８は前記一対の側壁５ａ、５ｂのそれぞれに互いに対向する位置に形成されている。
【００２８】
そして、前記各押圧部８は、前記凹部４に前記液晶表示パネル２およびバックライトユニット３を収納する際には、当該フレームケース１の寸法内において拡開するように撓み、前記凹部４に前記液晶表示パネル２および前記バックライトユニット３を収納した際には前記頂部が前記液晶表示パネル２の側面に当接して前記液晶表示パネル２および前記バックライトユニット３をその突出方向へ押圧するように作用して、これらの各部品を前記押圧部８間、つまり、前記一対の側壁間に挟んで固定するように形成されている。
【００２９】
さらに、本実施形態のフレームケース１においては、図２および図３に示すように、前記押圧部８の前記頂部における上端辺から前記凹部４の上方へ延出する小片状のフック９が形成されている。前記フック９は、前記凹部４に液晶表示パネル２およびバックライトユニット３などの所定の点数の部品が積層して収納された状態において、前記凹部４に収納された最上面に位置する前記液晶表示パネル２の上面に当接し、前記凹部４に積層して収納された前記液晶表示パネル２およびバックライトユニット３を底壁６側へ押圧するように作用して、これらの各部品を前記底壁６との間に挟んで固定するように形成されている。
【００３０】
さらに、前記凹部４を構成する他の一対の側壁５ｃ、５ｄのうちの一方の側壁５ｃはその延在方向中央部に大きく切欠き部１０が形成されており、前記切欠き部１０は、図４に示すように、前記凹部４に収納される液晶表示パネル２の端子接続部（図示せず）に電気的に接続されたＦＰＣ（図４には、前記液晶表示パネル２とともに網掛けで示す。）が導出されるように構成されている。また、前記切欠き部１０が形成された側壁５ｃと当該側壁５ｃに直交する他の側壁５ａ、５ｂにより形成される両コーナー部には前記凹部４の上方へ延出する小片状の係止用フック１１が形成されており、前記切欠き部１０が形成された側壁５ｃ、当該側壁５ｃに直交する両側壁５ａ、５ｂ、前記係止用フック１１および凹部４の底壁６により囲繞されてポケット状とされた部分に、前記凹部４に積層して収納される前記液晶表示パネル２およびバックライトユニット３のコーナ部を嵌合させ、前記液晶表示パネル２およびバックライトユニット３を前記凹部４内の所定位置に位置合わせするように形成されている。
【００３１】
また、前記切欠き部１０が形成された側壁５ｃに対向する側壁５ｄの内側近傍には、当該側壁５ｄと平行に配置される壁面を有する小片状のピン１２が形成されている。前記ピン１２は、前記凹部４の底壁６に連接する基部を支点として撓むように形成されており、前記凹部４に前記液晶表示パネル２およびバックライトユニット３を収納する際には、前記側壁５ｄの方向へ撓み、前記凹部４に前記液晶表示パネル２およびバックライトユニット３を収納した際には、前記ピン１２の内側表面が前記液晶表示パネル２およびバックライトユニット３の側面に当接して、前記液晶表示パネル２およびバックライトユニット３を前記切欠き部１０が形成された側壁５ｃの方向へ押圧するように作用して、前記液晶表示パネル２およびバックライトユニット３を前記切欠き部１０が形成された側壁５ｃとの間に挟んだ状態で保持しつつ、適正な位置に位置合わせするように形成されている。
【００３２】
そして、前記フレームケース１は、例えば、ポリカーボネート、ＡＢＳ樹脂などの樹脂素材を射出成型することなどにより、底壁６、側壁５、係止用フック１１、フック９、ピン１２が一体に形成されている。
【００３３】
このように構成されたフレームケース１によれば、前記押圧部８が、前記凹部４に前記液晶表示パネル２およびバックライトユニット３を収納したり、前記凹部４から前記液晶表示パネル２やバックライトユニット３の構成部品を回収したりする際には、当該フレームケース１の寸法内において拡開するように撓むので、フレームケース１への前記液晶表示パネル２およびバックライトユニット３の収納や回収、これらの構成部品の交換などの作業が簡便になる。そして、前記凹部４に前記液晶表示パネル２およびバックライトユニット３を収納した後は、可撓性が付与された前記押圧部８やピン１２が有する弾性復元力により、図４に白抜き矢印で示すように、前記液晶表示パネル２およびバックライトユニット３を正しい位置に規制し、位置合わせした状態で積層させて保持することができる。また、液晶表示パネル２およびバックライトユニット３の固定手段として両面テープ１９を用いることもないので、リペア性も良くなる。
【００３４】
また、前記押圧部８には可撓性が付与されているので、液晶表示パネル２などの部品がその外形寸法を多少増減して作製されたような場合であっても、前記押圧部８の可撓性により前記部品の寸法誤差を吸収することができ、フレームケース１（モジュール）の外形寸法には影響を与えることがない等の効果を奏する。
【００３５】
なお、本発明は、本実施形態に限定されるものではなく、必要に応じて種々の変更が可能である。
【００３６】
例えば、本実施形態においては、前記押圧部８の形状は弧状とし、前記凹部４内へ彎曲して突出する形状としたが、図５に示すような略三角形状や、図６に示すような台形状として可撓性を付与されつつ前記凹部４内へ突出する構成としてもよい。また、前記押圧部８の撓み幅を確保すべく、本実施形態においては、前記開口部７を前記凹部４を構成する一対の側壁５ａ、５ｂとその各側壁５ａ、５ｂに連接する底壁６とにより形成される底面コーナー部に形成する構成としたが、例えば、前記開口部７を前記底壁６にのみ形成し、この開口部７に対応する側壁５ａ、５ｂの厚さ方向寸法を当該側壁５ａ、５ｂの他の部分の厚さ方向寸法と同一にするように形成することも可能である。このような構成とした場合には、前記押圧部８を前記凹部４に収納される前記液晶表示パネル２およびバックライトユニット３の側面に対し、それらの積層方向において完全に当接させることが可能となるので、より好ましいものとなる。さらに、本実施形態においては、前記押圧部８を一対の側壁５ａ、５ｂのいずれにも形成したが、少なくとも片側の側壁５に押圧部８が形成されていれば、前述のように、前記液晶表示パネル２およびバックライトユニット３を正しい位置に規制し、位置合わせした状態で積層させて保持することができ、また、フレームケース１への液晶表示パネル２およびバックライトユニット３の収納や交換の作業も簡便になるという効果を得ることができる。またさらに、本実施形態においては、前記フレームケース１は、前記液晶表示パネル２とほぼ同じ大きさの平面形状とされた略四角枠状として説明したが、従来例に開示したような筐体としてもよい。また、本実施形態のように略四角枠状のフレームケース１とした場合には、前記反射シートを略四角枠状のフレームケース１の背面側に配設し、その上面の所定領域を前記フレームケース１の凹部４内に収納される導光板１５の裏面に密着させるようにして配設することも可能である。
【図面の簡単な説明】
【００３７】
【図１】本実施形態のフレームケースの構造を示す平面図
【図２】本実施形態のフレームケースにおける開口部を示す要部側面図
【図３】本実施形態のフレームケースにおける押圧部およびフックを示す要部拡大平面図
【図４】本実施形態のフレームケースと、凹部に収納される液晶表示パネルとの位置関係とフレームケースの構成から生じる作用を模式的に示す平面図
【図５】本実施形態のフレームケースにおける押圧部の別の形状を例示する要部拡大平面図
【図６】本実施形態のフレームケースにおける押圧部のさらに別の形状を例示する要部拡大平面図
【図７】従来の液晶表示装置におけるフレームケースと、フレームケースに収納される各部品を示す要部分解断面図
【図８】従来の別の液晶表示装置におけるフレームケースの形状の要部を示す斜視図
【符号の説明】
【００３８】
１  フレームケース
２  液晶表示パネル
３バックライトユニット
４  凹部
５  側壁
６  底壁
７  開口部
８  押圧部
９  フック
１０  切欠き部
１１  係止用フック
１２  ピン
１５  導光板
１６  反射フィルム
１７  拡散フィルム
１８  光学フィルム
１９  両面テープ
２１、２２  透明基板
２３、２４  偏光板
【図１】
2005077755.tif 000003
【図２】
2005077755.tif 000004
【図３】
2005077755.tif 000005
【図４】
2005077755.tif 000006
【図５】
2005077755.tif 000007
【図６】
2005077755.tif 000008
【図７】
2005077755.tif 000009
【図８】
2005077755.tif 000010